(57)【要約】【課題】  簡易な構成によって信頼性の高いスピンドルモータを低廉にて得ることを可能とする。【解決手段】  インナーロータ型の構造にて配置されたステータコイル１４からの漏洩磁束を吸収し低減するドーナツ状の磁性平板部材からなる磁気絶縁板（磁気インシュレータ）１５または２５に、内周側端縁部からステータコア１４側に向かって屈曲してステータコア１４の集磁部１４ｄ，１４ｅに近接する内周側吸引舌片１５ｃまたは補助磁極舌片２５ｃを設け、内周側吸引舌片１５ｃとステータコア１４またはロータマグネット２２ｄとの間に、軸受装置に対するスラスト負荷を軽減する方向の磁気吸引力（磁気バイアス力）を発生させ、または補助磁極舌片２５ｃの磁気作用でコギングトルクを低減させることによって、良好な起動特性を得るとともに軸受摩耗を低減させるように構成したもの。【選択図】        図１
2005160202.tif 000002
【特許請求の範囲】
【請求項１】
本体フレームに固定されたステータコアの外周側に環状基部が設けられているとともに、その外周側環状基部の内周壁面から中心軸側に向かって放射状に延出する複数の突極部のリブ部に対してステータコイルがそれぞれ巻回され、かつ
上記各突極部の内周側先端部分には、傘状をなす集磁部が円周方向に互いに隣接するようにそれぞれ設けられ、それら集磁部の内周側に、ロータマグネットを有するロータハブが回転自在に配置されたインナーロータ型の構造をなすものであって、
前記ステータコイルからの漏洩磁束を吸収し低減するドーナツ状の磁性平板部材からなる磁気絶縁板が、前記ステータコイルの一側面に近接して対面するように配置されたスピンドルモータにおいて、
前記磁気絶縁板には、該磁気絶縁板の内周側の端縁部分から前記ステータコア側に向かって屈曲して延在する内周側吸引舌片が設けられ、
その内周側吸引舌片は、前記ステータコアの集磁部と近接するように延在していることを特徴とするスピンドルモータ。
【請求項２】
前記本体フレームまたはステータコアとロータマグネットとの間に、前記ロータハブを前記本体フレーム側に向かって軸方向に押圧する磁気吸引作用が発生することによって、軸受装置に対するスラスト負荷が形成される構成になされている一方、
前記磁気絶縁板の内周側吸引舌片が、前記ステータコアまたはロータマグネットとの間において、前記軸受装置に対するスラスト負荷に抗する方向の磁気吸引作用を生成するように配置されていることを特徴とする請求項１記載のスピンドルモータ。
【請求項３】
前記磁気絶縁板の内周側吸引舌片は、周方向に沿って円環状に連続するように形成されていることを特徴とする請求項１記載のスピンドルモータ。
【請求項４】
前記磁気絶縁板の内周側吸引舌片が、周方向に沿って適宜の間隔をなして櫛歯状に配置されていることを特徴とする請求項１記載のスピンドルモータ。
【請求項５】
本体フレームに固定されたステータコアの外周側に環状基部が設けられているとともに、その外周側環状基部の内周壁面から中心軸側に向かって放射状に延出する複数の突極部のリブ部に対してステータコイルがそれぞれ巻回され、かつ
上記各突極部の内周側先端部分には、傘状をなす集磁部が円周方向に互いに隣接するようにそれぞれ設けられ、それら集磁部の内周側に、ロータマグネットを有するロータハブが回転自在に配置されたインナーロータ型の構造をなすものであって、
前記ステータコイルからの漏洩磁束を吸収し低減するドーナツ状の磁性平板部材からなる磁気絶縁板が、前記ステータコイルの一側面に近接して対面するように配置されたスピンドルモータにおいて、
前記磁気絶縁板には、該磁気絶縁板の内周側の端縁部分から前記ステータコア側に向かって屈曲して延在する補助磁極舌片が設けられ、
その補助磁極舌片が、周方向に隣接するように配置された集磁部どうしの間部分に入り込むように延在していることを特徴とする請求項１記載のスピンドルモータ。
【請求項６】
請求項１から請求項５のいずれかに記載のスピンドルモータと、該スピンドルモータのロータハブに搭載された情報記録ディスクと、該情報記録ディスクに情報を記録し、または再生する記録ヘッドとを有することを特徴とするディスク駆動装置。
【発明の詳細な説明】
【技術分野】
【０００１】
本発明は、ステータコイルからの漏洩磁束を吸収し低減する磁気絶縁板を備えたインナーロータ型のスピンドルモータおよびそれを備えたディスク駆動装置に関する。
【背景技術】
【０００２】
一般に、インナーロータ型構造のスピンドルモータは、ステータコアの内周側にロータハブが配置されており、例えば図５に示されたハードディスク駆動装置（ＨＤＤ）に用いられているスピンドルモータにおいては、本体フレーム１に固定されたステータコア２の外周側環状基部２ａの内周壁面から、複数の突極部２ｂ，２ｂ，・・・が、中心軸側に向かって放射状に延出する構成になされており、それらの各突極部２ｂのリブ部に対してステータコイル２ｃがそれぞれ巻回されている。また、上記各突極部２ｂの内周側先端部分には、傘状をなす集磁部２ｄが、円周方向に互いに隣接するようにそれぞれ設けられていて、それらの集磁部２ｄ，２ｄ，・・・の内周側に、ロータマグネット３ａを有するロータハブ３が回転自在に配置されている。
【０００３】
このように、インナーロータ型構造のスピンドルモータにおいては、ロータハブ３の外周側にステータコイル２ｃが配置された構造になされているが、当該ステータコイル２ｃからの漏洩磁束による磁気的影響を防止するために、磁性平板部材からなる磁気絶縁板６を配置した構造が従来から採用されている（例えば下記の特許文献１参照）。
【０００４】
例えば、上述した図５のハードディスク駆動装置（ＨＤＤ）に用いられているスピンドルモータにおいては、ロータハブ３の外周側壁面に、情報記録用のハードディスク４，５が軸方向に挿通されるようにして装着されており、図示下側に配置されたハードディスク５が、ステータコイル２ｃに対して軸方向に近接した直上位置に配置されている。このような状態下においてステータコイル２ｃが露出したままになされていると、そのステータコイル２ｃからの漏洩磁束によってハードディスク５に対する記録再生の動作に不具合を生じるおそれがある。
【０００５】
上述した図５の場合には、ステータコイル２ｃの図示上方部分、つまり当該ステータコイル２ｃとハードディスク５との間の部分を、ドーナツ状の磁性平板部材からなる磁気絶縁板（磁気インシュレータ）６により覆うことによって、ハードディスク５側に向かう漏洩磁束を吸収し低減させるようにしている。
【０００６】
【特許文献１】特開２００３−３１９６０２号公報
【発明の開示】
【発明が解決しようとする課題】
【０００７】
ところが、このような磁気絶縁板（磁気インシュレータ）６を備えたインナーロータ型構造のスピンドルモータにおいては、磁気絶縁板６が配置されていることによってステータコイル２ｃの配置スペースが制限されたものとなってしまい、特に小型化されたものにおいては、ロータマグネット３ａも小型化されているために十分な駆動磁束が得られなくなる傾向がある。そのための対策として、ロータマグネット３ａに飽和着磁を施したり、ステータコイル２ｃの巻線数を増大させることなどの手段が従来から採用されており、それらの対策によって、所望のトルク定数を得るようにしている。
【０００８】
しかしながら、飽和着磁を行う場合には、モータのコギングトルクが大きくなって起動不良が発生することがある。また、ステータコイル２ｃの巻線数を増大させた場合には、ステータコイル２ｃの厚みが増大することによって、上述した図５に示されているように、ロータマグネット３ａとステータコア２ｂとの間の磁気中心が軸方向に位置ズレしてしまうことがあり、その結果、磁束の流れが悪化して非効率的な磁気回路になってしまうおそれがあるとともに、図５のようにステータコア２ｂの集磁部を図示上方側に屈曲させてロータマグネット３ａの磁気中心に合わせる構成を採用した場合には、生産性が低下する原因にもなってしまう。
【０００９】
さらに、そのように磁気中心に軸方向ズレを生じたロータマグネット３ａとステータコア２との間には、軸方向の磁気吸引力（磁気バイアス力）が生じることとなるため、それによって軸受装置７に対して無用なスラスト負荷を与えてしまうことがある。さらに、本体フレーム１が鉄製などの磁性材から形成されている場合には、ロータマグネット３ａと本体フレーム１との間にも軸受装置７にスラスト負荷を与えるような軸方向の磁気吸引力を生じてしまう。特に、潤滑流体の動圧を利用して非接触で軸支持を行うようにした動圧軸受装置にあっては、スラスト方向へ浮上させるのに必要な回転数が増大する結果となり、起動トルクの増大によって上述したと同様な起動不良が発生するとともに、軸受摩耗が早期に進行するなどの問題を招来することがある。
【００１０】
そこで本発明は、磁気絶縁板（磁気インシュレータ）を備えたインナーロータ型構造を採用した場合にあっても、簡易な構成により良好な起動特性を得ることができるとともに、軸受寿命を延長することができるようにしたスピンドルモータおよびそれを備えたディスク駆動装置を提供することを目的とする。
【課題を解決するための手段】
【００１１】
上記目的を達成するため本発明の請求項１にかかるスピンドルモータでは、インナーロータ型の構造にて配置されたステータコイルからの漏洩磁束を吸収し低減するドーナツ状の磁性平板部材からなる磁気絶縁板に、該磁気絶縁板の内周側の端縁部分からステータコア側に向かって屈曲して延在する内周側吸引舌片が設けられ、その内周側吸引舌片がステータコアの集磁部と近接するように延在している。
例えば、本発明の請求項２にかかるスピンドルモータでは、上記請求項１における本体フレームまたはステータコアとロータマグネットとの間に、ロータハブを本体フレーム側に向かって軸方向に押圧する磁気吸引作用が発生することによって軸受装置に対するスラスト負荷が形成される構成になされている一方、磁気絶縁板の内周側吸引舌片が、ステータコアまたはロータマグネットとの間において前記軸受装置に対するスラスト負荷に抗する方向の磁気吸引作用を生成するように配置されている。
このような構成を有する請求項１または請求項２にかかるスピンドルモータにおいては、磁気絶縁板の内周側吸引舌片と、ステータコアまたはロータマグネットとの間に、軸受装置に対するスラスト負荷を軽減する方向の磁気吸引力（磁気バイアス力）が発生することから、従来から用いられている磁気絶縁板を利用して、良好な起動特性が得られるとともに、軸受摩耗が低減されるようになっている。
【００１２】
また、本発明の請求項３にかかるスピンドルモータでは、上記請求項１における磁気絶縁板の内周側吸引舌片が、周方向に沿って円環状に連続するように形成されている。
このような構成を有する請求項３にかかるスピンドルモータにおいては、上述した磁気絶縁板の内周側吸引舌片による磁気吸引力（磁気バイアス力）が、円周方向の全体にわたって生じることから、より良好な起動特性、および摩耗低減作用が得られる。
【００１３】
さらに、本発明の請求項４にかかるスピンドルモータでは、上記請求項１における磁気絶縁板の内周側吸引舌片が、周方向に沿って適宜の間隔をなして櫛歯状に配置されている。
このような構成を有する請求項４にかかるスピンドルモータにおいては、上述した磁気絶縁板の内周側吸引舌片による磁気吸引力（磁気バイアス力）が、櫛歯状部分において生じることから、良好な起動特性、および摩耗低減作用が得られる。
【００１４】
さらにまた、本発明の請求項５にかかるスピンドルモータでは、インナーロータ型の構造にて配置されたステータコイルからの漏洩磁束を吸収し低減するドーナツ状の磁性平板部材からなる磁気絶縁板に、該磁気絶縁板の内周側の端縁部分から前記ステータコア側に向かって屈曲して延在する補助磁極舌片が設けられ、その補助磁極舌片が、周方向に隣接するように配置された一対の集磁部どうしの間部分に入り込むように延在している。
このような構成を有する請求項５にかかるスピンドルモータにおいては、突極部の集磁部どうしの間部分に入り込むように配置された磁気絶縁板の補助磁極舌片の磁気作用によって、モータのコギング現象が低減されるようになっている。
【００１５】
一方、本発明の請求項６にかかるディスク駆動装置は、請求項１から請求項５のいずれかに記載のスピンドルモータと、該スピンドルモータのロータハブに搭載された情報記録ディスクと、該情報記録ディスクに情報を記録し、または再生する記録ヘッドとを有している。
このような構成を有する請求項６にかかるディスク駆動装置においては、請求項１から請求項５のいずれかに記載のスピンドルモータによる作用が同様に得られる。
【発明の効果】
【００１６】
以上のように本発明にかかるスピンドルモータは、インナーロータ型の構造にて配置されたステータコイルからの漏洩磁束を吸収し低減するドーナツ状の磁性平板部材からなる磁気絶縁板（磁気インシュレータ）に、該磁気絶縁板の内周側の端縁部分からステータコア側に向かって屈曲してステータコアの集磁部に近接する内周側吸引舌片を設け、その磁気絶縁板の内周側吸引舌片と、ステータコアまたはロータマグネットとの間に、軸受装置に対するスラスト負荷を軽減する方向の磁気吸引力（磁気バイアス力）を発生させることによって、良好な起動特性を得るとともに軸受摩耗を低減させるように構成したものであるから、従来から用いられている磁気絶縁板を利用した簡易な構成によって信頼性の高いスピンドルモータを低廉にて得ることができる。
【００１７】
また、本発明にかかるスピンドルモータは、インナーロータ型の構造にて配置されたステータコイルからの漏洩磁束を吸収し低減するドーナツ状の磁性平板部材からなる磁気絶縁板（磁気インシュレータ）に、該磁気絶縁板の内周側の端縁部分からステータコア側に向かって屈曲してステータコアの集磁部に入り込むように延在する補助磁極舌片を設け、その磁気絶縁板の補助磁極舌片の磁気的作用によって、モータのコギングトルクを低減させるように構成したものであるから、従来から用いられている磁気絶縁板を利用した簡易な構成によって信頼性の高いスピンドルモータを低廉にて得ることができる。
【発明を実施するための最良の形態】
【００１８】
以下、本発明をハードディスク駆動装置（ＨＤＤ）用のスピンドルモータに適用した実施形態について図面に基づいて説明する。
【００１９】
まず、図１に示されている軸回転／インナーロータ型のＨＤＤ用スピンドルモータの全体は、固定部材としてのステータ組１０と、そのステータ組１０に対して図示上側から組み付けられた回転側部としてのロータ組２０とから構成されている。
【００２０】
このうちステータ組１０は、図示を省略した磁気ディスク装置（ＨＤＤ）の支持プレートにネジ止めされる略円盤状の本体フレーム１１を有しており、その本体フレーム１１の略中央部分に立設するようにして形成された筒状の軸受ホルダー１２の内部側には、動圧軸受装置を構成する中空円筒状の軸受スリーブ１３が圧入や焼き嵌め等の固定手段によって接合されている。この軸受スリーブ１３は、加工を容易化するためにリン青銅などの銅系材料から形成されており、軸方向に貫通するようにして中心孔が形成されている。
【００２１】
上記軸受スリーブ１３の中心孔内には、上述したロータ組２０の一部を構成する軸部材としての回転軸２１が回転自在に挿入されている。本実施形態における回転軸２１は、ステンレス鋼から形成されており、その回転軸２１の外周面及び上記軸受スリーブ１３の内周面には動圧面が各々形成されている。そして、それら回転軸２１側の動圧面と、軸受スリーブ１３側の動圧面とは、半径方向に微少隙間を介して対向するように配置されており、その微少隙間部分にラジアル動圧軸受部ＲＢが構成されている。より詳細には、上記各ラジアル動圧軸受部ＲＢにおける軸受スリーブ１３側の動圧面と回転軸２１側の動圧面とは、数μｍのラジアルギャップを介して対向配置されており、そのラジアルギャップからなる軸受空間内には、潤滑性オイル等からなる適宜の潤滑流体が注入されている。
【００２２】
さらに、上記軸受スリーブ１３および回転軸２１の両動圧面の少なくとも一方側には、図示を省略した例えばヘリングボーン形状のラジアル動圧発生用溝が、軸方向に２ブロックに分かれて凹設されており、回転軸２１の回転駆動時に、当該ラジアル動圧発生用溝のポンピング作用により潤滑流体が加圧されて動圧を生じ、その潤滑流体の動圧力によって、上記回転軸２１およびその回転軸２１に固着されたロータハブ２２がラジアル方向に浮上した非接触状態で回転支持される構成になされている。
【００２３】
上記回転軸２１とともにロータ組２０を構成しているロータハブ２２は、磁気ディスク等の記録媒体ディスク（図示省略）を搭載するための略カップ形状をなすように形成されており、当該ロータハブ２２の中心部に設けられた接合穴２２ａに上記回転軸２１の図示上端部分が圧入や焼き嵌めあるいは接着等の固定手段によって固定されている。
【００２４】
そのロータハブ２２は、外周部にロータ部を構成するための環状立壁部２２ｂを有しているとともに、その環状立壁部２２ｂから半径方向外方側に向かって張り出すように設けられたリング状のディスク搭載部２２ｃに、記録媒体ディスク（図５参照）が軸方向に載置される構成になされている。また、上記環状立壁部２２ｂ図示下端側の外周部分には、周方向に一定間隔でＮＳ交互に着磁が施された円筒状のロータマグネット２２ｄが装着されていることによりロータ部が構成されていて、そのロータマグネット２２ｄの外周面に対して、後述するステータコア１４が外方側から環状に近接対向するように配置されている。
【００２５】
一方、前記軸受スリーブ１３の図示下端側に設けられた開口部は、カバー１３ａにより密閉状に閉塞されており、上述した各ラジアル動圧軸受部ＲＢ内の潤滑流体が外部に漏出しない構成になされている。
【００２６】
また、上記軸受スリーブ１３の図示上端面と、上述したロータハブ２２の中心側部分における図示下端面とは、軸方向に近接した状態で対向するように配置されており、それら軸受スリーブ１３の図示上端面と、ロータハブ２２の図示下端面との間のスラスト対向領域内の一部にスラスト動圧軸受部ＳＢが設けられている。すなわち、上記スラスト対向領域を構成している両対向動圧面１３，２２の少なくとも一方側には、例えばへリングボーン形状のスラスト動圧発生溝が形成されており、そのスラスト動圧発生溝を含む軸方向対向部分がスラスト動圧軸受部ＳＢになされている。
【００２７】
このようなスラスト動圧軸受部ＳＢを構成している軸受スリーブ１３の図示上端面側の動圧面と、それに近接対向するロータハブ２２の図示下端面側の動圧面とは、軸方向に対向配置されているとともに、オイルや磁性流体やエアー等の潤滑流体が、上述したラジアル動圧軸受部ＲＢから後述の毛細管シール部２３まで連続的に充填されていて、回転時に、上述したスラスト動圧発生溝のポンピング作用によって上記潤滑流体が加圧されて動圧を生じ、その潤滑流体の動圧によって、前記回転軸２１及びロータハブ２２が、スラスト方向に浮上した非接触状態で軸支持される構成になされている。
【００２８】
さらに、上記動圧軸受部材としての軸受スリーブ１３の最外周壁面には、毛細管シール部２３からなる流体シール部が画成されている。すなわち、この流体シール部としての毛細管シール部２３は、前述したスラスト動圧軸受部ＳＢを含む軸方向のスラスト対向領域に対して半径方向外方側から連設されるように設けられており、上記前記軸受スリーブ１３の外周壁面と、その軸受スリーブ１３の外周壁面と半径方向に対向するように形成された抜け止め部材としてのカウンタープレート２４の内周壁面とにより、上記毛細管シール部２３が画成されている。上記カウンタープレート２４は、上述したロータハブ２２に設けられたフランジ部２２ｅに固定されたリング状部材からなり、当該カウンタープレート２４の内周壁面と、上述した軸受スリーブ１３の外周壁面との間の隙間を、図示下方側の開口部に向かって連続的に拡大することによって、テーパ状のシール空間を画成している。そして、上記スラスト動圧軸受部ＳＢ内の潤滑流体が、毛細管シール部２３に至るまで連続的に充填されている。
【００２９】
またこのとき、上記軸受スリーブ１３の図示上端部分には、半径方向外方側に張り出すようにして抜止め鍔部１３ｂが設けられており、その抜止め鍔部１３ｂの一部が、上述したカウンタープレート２４の一部に対して軸方向に対向するように配置されている。そして、これらの両部材１３ｂ，２４によって、前記ロータハブ２２が軸方向に抜け出すことを防止する構成になされている。
【００３０】
一方、上述した本体フレーム１１の外周側には、環状のコア取付壁部１１ａが軸方向の段差を形成するように立設されており、そのコア取付壁部１１ａの内周面側には、ステータコア１４の環状基部１４ａが、軸方向に挿通されるようにして固定されている。このステータコア１４の環状基部１４ａの内周壁面からは、複数の突極部１４ｂが、中心軸に向かって放射状に延出するように設けられており、それら複数の各突極部１４ｂに設けられたリブ部にはステータコイル１４ｃがそれぞれ巻回されている。
【００３１】
さらに、上記各突極部１４ｂの内周側における先端部分には、傘状をなす集磁部（ティース部）１４ｄが円周方向の両側に向かって張り出すように設けられていて、それらの各集磁部１４ｄ，１４ｄ，・・・が円周方向に沿って隣接するようにそれぞれ配置されている。そして、それらの各集磁部１４ｄの内周側に、上述したロータマグネット２２ｄを有するロータハブ２２が回転自在に配置されていることによってインナーロータ型構造のスピンドルモータが構成されている。
【００３２】
このとき、本実施形態においては、上述したステータコア１４とロータマグネット２２ｄとの間に、磁気中心の軸方向における位置ズレが設けられていることから、これらステータコア１４とロータマグネット２２ｄとの間には、前記ロータハブ２２を本体フレーム１１側に向かって軸方向に押圧する磁気吸引作用（磁気バイアス）が発生することとなっており、そのような磁気吸引作用によって、上述した動圧軸受装置のスラスト動圧軸受部ＳＢに対するスラスト負荷が形成される構成になされている。また、本体フレーム１１が鉄製の場合には、本体フレーム１１とロータマグネット２２ｄとの間にも、ロータハブ２２を本体フレーム１１側に向かって軸方向に押圧する磁気吸引作用（磁気バイアス）が発生することとなっており、そのような磁気吸引作用によっても、上述した動圧軸受装置のスラスト動圧軸受部ＳＢに対するスラスト負荷が形成される構成になされている。
【００３３】
一方、上記ステータコイル１４ｃの直上位置には、ドーナツ状の磁性平板部材からなる磁気絶縁板（磁気インシュレータ）１５が軸方向に近接して配置されている。この磁気絶縁板１５は、前記ロータハブ２２に装着された記録媒体ディスク（図示省略）に対する磁気的影響を低減するために採用されたものであって、上述したステータコイル１４ｃから漏洩する磁束を吸収する磁性材から形成されており、当該磁気絶縁板１５の外周側に設けられた取付基部１５ａが、上述した本体フレーム１１のコア取付壁部１１ａから半径方向外方側に向かって延出している環状固定部１１ｂ上に固着されている。
【００３４】
この磁気絶縁板１５の取付基部１５ａからは、当該磁気絶縁板１５の本体板１５ｂが、図１の上方側に適宜の段差をなすように立ち上がった後に、半径方向の中心側に向かって薄板状をなすようにして延出している。この磁気絶縁板１５の本体板１５ｂは、上述したステータコイル１４ｃの図示上端側面に近接した状態で対面しつつ、前記突極部１４ｂの延在方向に沿って中心側に向かって延在しているが、上述した突極部１４ｂの集磁部１４ｄに相当する内周側の端縁位置において、図１の下方側に向かって屈曲して延びる内周側吸引舌片１５ｃが設けられている。
【００３５】
この内周側吸引舌片１５ｃは、上述したステータコア１４側に向かって略直角に屈曲した後に軸方向に延在して、前記ステータコア１４に近接するように配置されており、平面視において周方向に円環状に連続するように形成されていることによって、前記ステータコア１４またはロータマグネット２２ｄとの間に磁気吸引作用（磁気バイアス）が形成されるようになっている。
【００３６】
すなわち、この内周側吸引舌片１５ｃと、ステータコア１４またはロータマグネット２２ｄとの間における磁気吸引作用（磁気バイアス）は、ロータハブ２２を本体フレーム１１側から図１の上方側に向かって軸方向に引き出すように吸引する作用力となっていて、この内周側吸引舌片１５ｃよる磁気吸引作用は、前述したステータコア１４とロータマグネット２２ｄとの間に生成されている動圧軸受装置のスラスト動圧軸受部ＳＢへのスラスト負荷に抗するものとなっている。
【００３７】
このような構成を有する本実施形態においては、磁気絶縁板１５の内周側吸引舌片１５ｃと、ステータコア１４またはロータマグネット２２ｄとの間に、軸受装置のスラスト負荷を軽減する方向の磁気的吸引力（磁気バイアス力）が発生することから、良好な起動特性が得られるとともに、軸受摩耗が低減されるようになっている。
【００３８】
このとき、特に本実施形態においては、磁気絶縁板１５の内周側吸引舌片１５ｃの作用が円周方向の全体にわたって生じることから、より良好な起動特性および摩耗低減作用が得られるようになっている。
【００３９】
なお、内周側吸引舌片１５ｃが周方向に沿って適宜の間隔をなす櫛歯状に形成されていることによって、前記ステータコア１４またはロータマグネット２２ｄとの間に磁気吸引作用（磁気バイアス）が形成されるようにした場合においても、内周側吸引舌片１５ｃによる磁気吸引力が、櫛歯状部分において生じることから、良好な起動特性、および摩耗低減作用を得ることはできる。
【００４０】
一方、上述した実施形態と同一の構成物に対して同一の符号を付した図２および図３にかかる実施形態は、モータのコギング現象を低減させるものである。本実施形態では、ステータコア１４における集磁部１４ｅの部位が、図示上方側に向かって斜めに屈曲させられており、当該集磁部１４ｅの内端面が、ロータマグネット２２ｄに対して、磁気中心が略一致するにように対面させられている。このような構成を採用すれば、ステータコア１４とロータマグネット２２ｄとの間における磁気中心の位置ズレはなくなる。従って、ロータハブ２２を本体フレーム１１側に向かって軸方向に押圧する磁気吸引作用（磁気バイアス）も発生しなくなり、上述した動圧軸受装置のスラスト動圧軸受部ＳＢに対するスラスト負荷は軽減されることとなる。
【００４１】
ここで、本実施形態においても、磁気絶縁板２５の取付基部２５ａから本体板２５ｂが、図２の上方側に適宜の段差をなすように立ち上がった後に、半径方向の中心側に向かって薄板状をなすようにして延出している。この磁気絶縁板２５の本体板２５ｂは、上述したステータコイル１４ｃの図示上端側面に近接した状態で対面しつつ、前記突極部１４ｂの延在方向に沿って中心側に向かって延在しているが、上述した突極部１４ｂの集磁部１４ｅに相当する内周側の端縁位置において、図２の下方側に向かって屈曲して延びる補助磁極舌片２５ｃが設けられている。
【００４２】
この補助磁極舌片２５ｃにおける軸方向突出側（図２下端側）に形成された端縁部分には、上述した突極部１４ｂにおける集磁部（ティース部）１４ｅ，１４ｅどうしの間部分に相当する各部位から図示下方側に向かって突出する突起片２５ｄが、設けられている。これらの各突起片２５ｄは、周方向に互いに隣接する各突極部１４ｂ，１４ｂにそれぞれ設けられた両集磁部１４ｅ，１４ｅどうしの間部分に入り込むように延在していて、モータのコギングを低減する部材を構成するように配置されている。このコギングを低減する作用は、例えば実開平６−８８１７８号公報に記載されたものと同様である。
【００４３】
このように本実施形態では、補助磁極舌片２５ｃの磁気作用によりモータのコギング現象が低減されることによって、良好な起動特性が得られるとともに、軸受摩耗が低減されるようになっている。
【００４４】
一方、前述した各実施形態におけるスピンドルモータは、例えば図４に示されているようなハードディスク駆動装置（ＨＤＤ）の内部に装着されて使用され、同様な作用・効果が得られる。
【００４５】
すなわち、同図に示されているように、上述した各実施形態にかかるスピンドルモータＭは、密閉状のハウジング１００を構成している本体プレート１００ａに固定されることによって使用され、そのスピンドルモータＭ含むハウジング１００の内部空間は、前記本体プレート１００ａに嵌合する密閉蓋１００ｂによって清浄空間１００ｃに形成されている。前記スピンドルモータＭのロータハブ（図１中の符号２２参照）には、ハードディスク等の情報記録ディスク１０１が搭載されているとともに、前記回転ハブに対して螺子１０２により固着されたクランプ１０３によって、前記情報記録ディスク１０１が不動状態に保持される。
【００４６】
以上、本発明者によってなされた発明を実施形態に基づいて具体的に説明したが、本発明は上記実施形態に限定されるものではなく、その要旨を逸脱しない範囲で種々変形可能であるというのは言うまでもない。
【００４７】
例えば、上述した第１の実施形態（図１）と、第２の実施形態（図２および図３）とを組み合わせた構成も採用することが可能である。すなわち、前述した第１の実施形態における内周側吸引舌片１５ｃにおける環状の端縁部に、上述した第２の実施形態における補助磁極舌片２５ｃに相当する部材を設けるようにしておけば、これら双方の実施形態における作用・効果を、同時に得ることが可能となる。
【００４８】
さらに、上述した各実施形態は、ハードディスク駆動装置（ＨＤＤ）に対して本発明を適用したものであるが、本発明はそれに限定されるものではなく、他の多種多様な装置に用いられるディスク装置、その他の各種モータに対しても同様に適用することができるものである。
【図面の簡単な説明】
【００４９】
【図１】本発明を適用したインナーロータ型構造のスピンドルモータの一実施形態を表した縦断面説明図である。
【図２】本発明の他の実施形態にかかるスピンドルモータを表した縦断面説明図である。
【図３】図２に示されたスピンドルモータのステータコア部分を拡大して表した平面説明図である。
【図４】本発明にかかるスピンドルモータを使用したディスク駆動装置の概略構造例を表した縦断面説明図である。
【図５】従来におけるインナーロータ型構造のスピンドルモータの一例を表した縦断面説明図である。
【符号の説明】
【００５０】
１１  本体フレーム
１３  軸受スリーブ（動圧軸受装置）
１４  ステータコア
１４ａ  環状基部
１４ｂ  突極部
１４ｃ  ステータコイル
１４ｄ  集磁部（ティース部）
１４ｅ  集磁部
１５  磁気絶縁板（磁気インシュレータ）
１５ａ  取付基部
１５ｂ  本体板
１５ｃ  内周側吸引舌片
２１  回転軸
２２  ロータハブ
２２ｄ  ロータマグネット
２５  磁気絶縁板
２５ａ  取付基部
２５ｂ  本体板
２５ｃ  補助磁極舌片
２５ｄ  突起片
ＳＢ  スラスト動圧軸受部
Ｍ  スピンドルモータ
１００  ハウジング
１０１  情報記録ディスク
【図１】
2005160202.tif 000003
【図２】
2005160202.tif 000004
【図３】
2005160202.tif 000005
【図４】
2005160202.tif 000006
【図５】
2005160202.tif 000007